(57)【要約】【課題】スクリーン全体を伸長しきった状態で折り返した２面間を最も近接させる。【解決手段】ウェイトバー５を掛装して上方に折り返すように垂下したスクリーン４の一方の上端部を巻取軸３に固定して巻き取り可能なローラブラインド１において、スクリーン４の他方の上端部を固定して水平方向における垂下位置を規定する端部固定部８を有し、端部固定部８が巻取軸３の下方側に配置されている。また、操作者から見て他方の上端部から垂下するスクリーン４の折り返し面は端部固定部８の背面側に位置している。【選択図】図３
2015218488.tif 000002
【特許請求の範囲】
【請求項１】
ウェイトバーを掛装して上方に折り返すように垂下したスクリーンの一方の上端部を巻取軸に固定して巻き取り可能な日射遮蔽装置において、
前記スクリーンの他方の上端部を固定して水平方向における垂下位置を規定する端部固定部を有し、
前記端部固定部が前記巻取軸の下方側に配置されていることを特徴とする日射遮蔽装置。
【請求項２】
操作者から見て前記他方の上端部から垂下する前記スクリーンの折り返し面は前記端部固定部の背面側に位置していることを特徴とする請求項１記載の日射遮蔽装置。
【請求項３】
操作者から見て前記スクリーンが垂下する側と逆側の前記巻取軸を覆うように設けられたフレームをさらに有し、
前記端部固定部は、
前記フレームの下端に設けられていることを特徴とする請求項２又は３記載の日射遮蔽装置。
【請求項４】
前記端部固定部は、
前記スクリーンの下端位置を調整可能な第１の下端位置調整部を有していることを特徴とする請求項１乃至３のいずれか１項に記載の日射遮蔽装置。
【請求項５】
前記スクリーンは、
前記他方の上端部に略平板矩形状の巻回板を設け、
前記第１の下端位置調整部は、
前記スクリーンを巻回した状態の前記巻回板を収納してその巻回軸周りの姿勢を保持可能な巻回板収納部を有していることを特徴とする請求項４記載の日射遮蔽装置。
【請求項６】
前記巻回板収納部は、
前記巻回板に対して、その自由端側の縁部がスクリーン接続側の縁部と略同じ高さ又はそれより低い位置となる姿勢で保持することを特徴とする請求項５記載の日射遮蔽装置。
【請求項７】
前記巻回板収納部は、
前記自由端側の縁部を係止する係止リブと、
前記スクリーン接続側の縁部に対して前記自由端側の縁部より高く位置させる突起部を有する突起リブと、
前記自由端側の縁部を前記係止リブに誘導するよう湾曲した誘導天井と、
を有することを特徴とする請求項６記載の日射遮蔽装置。
【請求項８】
前記巻取軸における前記一方の上端部の方の巻き取り量の調整により、前記スクリーンの下端位置を調整可能な第２の下端位置調整部を有していることを特徴とする請求項１乃至７のいずれか１項に記載の日射遮蔽装置。
【請求項９】
前記一方の上端部及び前記他方の上端部の少なくとも一方は、所望する前記スクリーンの下端位置に対応するよりも長めの余巻を有していることを特徴とする請求項１乃至８のいずれか１項に記載の日射遮蔽装置。
【請求項１０】
前記端部固定部は、
前記端部固定部から着脱可能であって、取り付け時に略水平に配置される水平平板部と、前記水平平板部から上方に向けて突出した突出部分を備え、前記端部固定部の他の部分に前記突出部分を当接して水平方向に位置決めされた状態で、前記水平平板部の縁部で前記スクリーンの他方の上端部の垂下位置を規定する垂下位置規定部材を有していることを特徴とする請求項１乃至９のいずれか１項に記載の日射遮蔽装置。
【請求項１１】
前記垂下位置規定部材は、
前記水平平板部に前記突出部分としての垂直平板部を設けたＬ字アングルであることを特徴とする請求項１０記載の日射遮蔽装置。
【請求項１２】
前記垂下位置規定部材は、
前記水平平板部の途中位置に前記突出部分を設けていることを特徴とする請求項１０記載の日射遮蔽装置。
【請求項１３】
前記Ｌ字アングル又は前記平板部材の水平平板部の縁部により規定される前記他方の上端部の垂下位置は、前記巻回板収納部から直接垂下した際の垂下位置よりも水平方向において前記一方の上端部に近く位置することを特徴とする請求項１１又は１２記載の日射遮蔽装置。
【請求項１４】
前記スクリーンは、
巻き取り方向に対して所定幅の透光部と前記所定幅以上に広い幅の非透光部が交互に配置されていることを特徴とする請求項１乃至１３のいずれか１項に記載の日射遮蔽装置。
【発明の詳細な説明】
【技術分野】
【０００１】
本発明は、上方に折り返したスクリーンの一方の上端部を巻き取り、又は巻き戻しすることでスクリーン全体の展開長を調整可能な日射遮蔽装置に関する。
【背景技術】
【０００２】
近年では、上方に折り返したスクリーンの一方の上端部を巻き取り、又は巻き戻しすることで、スクリーン全体の展開長を調整可能なロールブラインドが提案されている。例えば、特許文献１には、スクリーンの他方の上端部を貼り付けて所定長巻回させた取付ロッドをブラインド本体の座溝に収容して固定することで、伸長しきった状態のスクリーンの下端の高さを調整する構成が開示されている。
【先行技術文献】
【特許文献】
【０００３】
【特許文献１】特開２００９−７９４３０号公報
【発明の概要】
【発明が解決しようとする課題】
【０００４】
しかしながら、ロールブラインドは、スクリーン全体を伸長しきった状態で折り返した２面間をできるだけ近接させたい場合がある。これに対し上記従来技術では、スクリーン全体を伸長しきった状態では折り返した２面間が最も離間してしまう。
【０００５】
本発明はこのような問題点に鑑みてなされたものであり、スクリーン全体を伸長しきった状態で折り返した２面間を最も近接させることができる日射遮蔽装置を提供することを目的とする。
【課題を解決するための手段】
【０００６】
上記目的を達成するために、本願第１発明は、ウェイトバーを掛装して上方に折り返すように垂下したスクリーンの一方の上端部を巻取軸に固定して巻き取り可能な日射遮蔽装置において、前記スクリーンの他方の上端部を固定して水平方向における垂下位置を規定する端部固定部を有し、前記端部固定部が前記巻取軸の下方側に配置されていることを特徴とする。
【発明の効果】
【０００７】
本発明によれば、スクリーン全体を伸長しきった状態で折り返した２面間を最も近接させることができる。
【図面の簡単な説明】
【０００８】
【図１】スクリーン全体を伸長しきった状態のロールブラインドの外観を正面から見た図である。
【図２】図１中の矢視ＩＩ−ＩＩ断面を左方から右方に向かって見た図である。
【図３】図１中の矢視ＩＩＩ−ＩＩＩ断面を左方から右方に向かって見た図である。
【図４】ウェイトバーの掛装位置におけるスクリーンの折り返し部分を斜視で拡大した図である。
【図５】端部固定部を分解した状態を左方から右方に向かって見た図である。
【図６】端部固定部を拡大して表した図である。
【図７】その他の構成の端部固定部を拡大して表した図である。
【図８】変形例の端部固定部を備えたブラインド本体の断面を左方から右方に向かって見た図である。
【図９】実施形態の端部固定部と、変形例の端部固定部のそれぞれを拡大して表した図である。
【発明を実施するための形態】
【０００９】
以下、本発明の日射遮蔽装置の一実施の形態であるロールブラインドについて図面を参照しつつ説明する。なお、各図中に注記されている「前方」「後方」「左方」「右方」「上方」「下方」の方向は、明細書中の説明において「前方（前）」「後方（後）」「左方（左）」「右方（右）」「上方（上）」「下方（下）」と記述されている方向にそれぞれ対応する。
【００１０】
＜ロールブラインドの構成＞
まず、図１〜図５を参照しつつ、本実施形態に係わるロールブラインドの概略構成について説明する。図１は、スクリーン全体を伸長しきった状態のロールブラインドの外観を正面から見た図である。図２は、図１中の矢視ＩＩ−ＩＩ断面を左方から右方に向かって見た図であり、図３は、図１中の矢視ＩＩＩ−ＩＩＩ断面を左方から右方に向かって見た図である。図４は、ウェイトバーの掛装位置におけるスクリーンの折り返し部分を斜視で拡大した図である。図５は、端部固定部を分解した状態を左方から右方に向かって見た図である。これら図１〜図５において、ロールブラインド１は、主にフレーム２と、巻取軸３と、スクリーン４と、ウェイトバー５と、操作コード６と、スプロケット７と、端部固定部８とを有している。
【００１１】
フレーム２は、その軸方向を図示する例の左右方向に配置して後方側面が開口した略円筒形状の筐体であって、両端の開口部にはそれぞれサイドブラケット２１が設けられて閉塞されている。また、図２において、フレーム２の上方には２条の略Ｔ字リブが図示しないブラケットにより係止可能となっており、これが図１に示す取付ブラケット１１を介して天井面等に固定される。
【００１２】
巻取軸３は、上記フレーム２内部の左右方向全体に渡って同軸的に配置された略円筒形状の軸部材であり、その両端がそれぞれ上記サイドブラケット２１に支持されていることで巻取軸３全体が回転可能となっている。
【００１３】
スクリーン４は、上記巻取軸３とほぼ同じ幅寸法（左右方向の長さ寸法）の布体であり、その幅方向と直交する長手方向（巻取方向）において一方の上端部が上記巻取軸３の生地押さえ３１に固定され、他方の上端部が後述する端部固定部８に固定されている。また、スクリーン４はその長手方向に対して、所定幅の透光部４１と所定幅以上に広い幅（この例では約１．５倍）の非透光部４２を交互に配置している。透光部４１は、例えば図４に示すように縦糸だけなどの低い織密度で製織したり、または白色系の糸や細い糸で製織するなどにより光の透過率を比較的高くした部分である。非透光部４２は、例えば図４に示すように縦糸と横糸で高い織密度で製織したり、または黒色系の糸や太い糸で製織するなどにより光の透過率を比較的低くした部分である。
【００１４】
ウェイトバー５は、メインローラ５１と、２つのフェイスバー５２と、ウェイトバーカバー５３を有している。メインローラ５１は、上記スクリーン４の幅寸法よりも少し長い略円筒軸部材であり、スクリーン４の長手方向の途中位置を折り返した内部に掛装されている。２つのフェイスバー５２は、それぞれメインローラ５１と略同じ長さで軸直交断面が半円形状である長尺部材であり、メインローラ５１の掛装位置より少し上側（スクリーン４の展張側）の位置においてメインローラ５１の直径より狭い離間距離で互いに曲面の側面どうしを対向させるよう配置されている。ウェイトバーカバー５３は、その内部にメインローラ５１と２つフェイスバー５２の全体を収容してそれらの間の配置関係を保持しつつ、メインローラ５１に対しては回転可能に両端を支持している。なお、図４中においては、図示の煩雑を避けるために、ウェイトカバー５３の外郭線を点線で残して透視するとともに、各フェイスバー５２の曲面部分だけを図示している。
【００１５】
操作コード６は、等間隔に多数のボール６１を固定した紐体であり、全体が環状（無端状）となっている。なお、図２中においてはフレーム２の内部に位置決め用のコネクタ６２が位置しており、この状態に対応して図１中においてはコネクタ６２は図示されていない。
【００１６】
スプロケット７は、その外周に所定数のボール６１を係止しつつ上記操作コード６を巻回可能な略円盤形状の部材であり、図示する例では上記操作コード６を略３／４周分巻回した状態で上記巻取軸３の右端に固定されている。またスプロケット７に巻回されていない操作コード６の大部分は、上記フレーム２の右端部に設けた垂下穴２２から導出され垂下している。操作者は、フレーム２から垂下した操作コード６の前後いずれか一方の側を引き下ろすことで、スプロケット７及び巻取軸３を巻取方向（図示する例では前転）又は巻戻方向（図示する例では後転）に回転させることができる。
【００１７】
また、スプロケット７の全周のうち操作コード６を巻回している角度範囲内の一部に対応して、その外周側にはスプロケットカバー２３が設けられている。操作コード６の操作を継続し続けた場合には、コネクタ６２がスプロケットカバー２３に当接することでそれ以上のスプロケット７及び巻取軸３の回転を阻止する。これにより、コネクタ６２の相対位置を調整することで、巻取軸３の回転限界位置を調整することができる。たとえば、図２で示す初期位置ではボール６１−１、６１−２で係合しているが、スクリーン後面４ｂの高さを例えばＰ１だけ短くしたい場合はコネクタ６２の上側の係合部がボール６１−５に係合し、下側の係合部がボール６１−１に係合するように変更する。逆にスクリーン後面４ｂの高さを例えばＰ２だけ長くしたい場合にはコネクタ６２の上側の係合部がボール６１−３に係合し、下側の係合部がボール６１−４に係合するように変更すればよい。本実施形態では、この巻取軸３の回転限界位置を、スクリーン４の下限位置に一致させておく。なお、スプロケットカバー２３とコネクタ６２が、各請求項記載の第２の下端位置調整部を構成している。
【００１８】
端部固定部８は、巻回板収納部８１と、Ｌ字アングル８２とを有している。巻回板収納部８１は、上記フレーム２の左右方向全体に渡りその下端部において一体的に形成された断面略矩形形状の筒部であり、その下方側面の一部が開口している。Ｌ字アングル８２（垂下位置規定部材）は、フレーム２とほぼ同じ幅寸法（左右方向の長さ寸法）に形成されており、取り付け時には略垂直に配置される垂直平板部８２ａ（突出部分）が上記巻回板収納部８１の前側側面に接触し、略水平に配置される水平平板部８２ｂが上記巻回板収納部８１の下方側面の開口部８１ａを覆う状態で複数のボルト１０により巻回板収納部８１に固定される。また図４に示すように、上記スクリーン４の他方の上端部には略平板矩形状の巻回板９が設けられており、任意の周回分だけスクリーン４を巻回した巻回板９を巻回板収納部８１に収納した状態でＬ字アングル８２を巻回板収納部８１に固定することにより、当該スクリーン４の他方の上端部がフレーム２に確実に固定される。このとき巻回板９は、その巻回軸周りの姿勢が巻回板収納部８１の内部で保持される。なお、巻回板収納部８１が各請求項記載の第１の下端位置調整部を構成している。
【００１９】
＜本実施形態の動作＞
以上の構成のロールブラインド１において、スクリーン４はウェイトバー５を掛装した位置を下端位置として上方に折り返し、その後方側の面（以下、スクリーン後面４ｂという）の上端部（一方の上端部）が巻取軸３に固定され、前方側の面（以下、スクリーン前面４ａという）の上端部（他方の上端部）が端部固定部８に固定されている。そしてウェイトバー５全体が適度の重量を有していることで、スクリーン前面４ａ及びスクリーン後面４ｂともにフレーム２から垂下し、スクリーン４全体が下方に展張する。
【００２０】
この状態で、操作者が操作コード６を操作して巻取軸３を巻取方向へ回転させた場合には、スクリーン後面４ｂが上方に巻き取られるとともにウェイトバー５が引き上げられ、スクリーン４全体の展開長が短縮化される。また操作者が操作コード６を操作して巻取軸３を巻戻方向に回転させた場合には、スクリーン後面４ｂが下方に巻き戻されるとともにウェイトバー５が引き下げられ、スクリーン４全体の展開長が伸長化される。そして、コネクタ６２が上昇してスプロケットカバー２３に当接した際には、それ以上操作できずに停止することから操作者はスクリーン４が下限位置に到達したことを認識できる。これらの動作中も、ウェイトバー５のメインローラ５１が回転して掛装位置を移動することで、重量を有する当該ウェイトバー５がスクリーン４全体の展開領域の下端位置を維持する。また、ウェイトバー５の２つのフェイスバー５２は、それぞれの曲面をスクリーン前面４ａ及びスクリーン後面４ｂに当接（摺接）することで、２面間の離間距離Ｄ２をメインローラ５１の直径より狭く維持できる。
【００２１】
そして本実施形態のロールブラインド１では、上述したように巻取軸３の巻き取り、巻き戻しの動作によってスクリーン後面４ｂだけが昇降移動してスクリーン前面４ａは昇降移動しないため、２面間における透光部４１と非透光部４２の位相差が変化する。つまり、巻き取り、又は巻き戻しの動作を継続して行うことで、２面間における非透光部４２の重複面積が周期的に変化することになり、スクリーン４の展開領域全体における光の透過量を周期的に変化させることができる。
【００２２】
また、本実施形態のロールブラインド１では、端部固定部８と巻取軸３のそれぞれにおいてスクリーン４の下端位置を調整することが可能である。まず端部固定部８においては、拡大した図６に示すように、巻回板９にどれだけスクリーン前面４ａの上端部の余巻を巻回させて巻回板収納部８１に収納或は導出させるかによって、スクリーン４全体の有効長を調節できる。例えば、図６（ａ）に示すように巻回板９にスクリーン前面４ａの上端部を余巻として２周分巻回して備えた状態を初期状態とする。これは、スクリーン後面４ｂの余巻と対応するよう設けられる。また、巻回最低調整ピッチＰ３はコネクタ６２の最低調整ピッチＰ１に近似するようになっている。初期状態に対して、図６（ｂ）に示すように巻回板９の余巻を巻き解くとスクリーン４全体の有効長が長くなり（図６（ｂ）の場合初期状態に対しＰ３の約４倍伸びる）、スクリーン４全体の展開長を伸長しきった場合の下端位置、つまりウェイトバー５の高さを低くできる。また逆に、図６（ｃ）に示すように巻回板９にスクリーン前面４ａの上端部を初期状態よりも１周分巻回した場合には、Ｐ３の２倍強スクリーン４全体の有効長が短くなり、スクリーン４全体の展開長を伸長しきった場合の下端位置、つまりウェイトバー５の高さを高くできる。なおこの調整機能は、図６（ｄ）に示すようにスクリーン４の厚さが異なる場合でも、巻回板９に対する巻回数を適宜変えることで下端位置を適切に調整できる。
【００２３】
また、スクリーン前面４ａの巻回数に係わらず、Ｌ字アングル８２の設置前の段階でも巻回板収納部８１の内部における巻回板９の収納を良好に維持するためには、各部の寸法を詳細に設定する必要がある。例えば、巻回板９の厚さ寸法Ｔと幅寸法Ｗ（図４参照）に対し、巻回板収納部８１の下面における開口部８１ａの幅寸法Ｌ１とその前後のリブ８１ｂ、８１ｃの幅寸法Ｌ２、Ｌ３（図５参照）は、Ｌ１＜Ｗとなる関係が好ましく、またＬ３＜Ｌ２となる関係も好ましい。また、スクリーン前面４ａを巻回した状態の巻回板９を巻回板収納部８１の内部へ円滑に収納させるためには、Ｔ＜Ｌ１となる関係で寸法設定するとよい。
【００２４】
また、巻取軸３におけるスクリーン後面４ｂの下端位置調整については、例えば図３に示すように、巻取軸３の外周にどれだけスクリーン後面４ｂの上端部を巻回させた状態で当該巻取軸３の回転限界位置とするかによって、スクリーン４全体の有効長を調節できる。例えば、図３に示すように生地押さえ３１が真下に位置した回転位置を初期状態の巻取軸３の回転限界位置に設定した場合、３／４周分の余巻が設けられて巻回されている。これに対して、前述のようにコネクタ６２の操作コード６上の各ボール６１に対する相対位置を変更して生地押さえ３１がさらに反時計方向に位置した回転位置を巻取軸３の回転限界位置に調整した場合にはそれだけスクリーン４全体の有効長が長くなり、スクリーン４全体の展開長を伸長しきった場合の下端位置、つまりウェイトバー５の高さを低くできる。また、生地押さえ３１が真下の位置よりさらに時計方向に位置した回転位置を巻取軸３の回転限界位置に設定した場合にはそれだけスクリーン４全体の有効長が短くなり、スクリーン４全体の展開長を伸長しきった場合の下端位置、つまりウェイトバー５の高さを高くできる。
【００２５】
以上のようにスクリーン前面４ａとスクリーン後面４ｂのそれぞれで下端位置調整できることで、スクリーン４全体の展開長を伸長しきった場合の下端位置を任意に調整できるとともに、下限位置における２面間における透光部４１と被透光部４２の位相差が極力無いように調整することができる。なお巻取軸３における下端位置調整はコネクタ６２での調整に限定されるわけではなく、コネクタ６２の代わりに巻取軸３内に別途ネジ送り等による機械式リミット装置を設けて調整してもよい。要は巻取軸３の回転限界位置を変更可能であればよく、調整部８と同一とできることが好ましい。
【００２６】
また、巻回板収納部８１にＬ字アングル８２を設置した際には、水平に配置される水平平板部８２ｂが開口部８１ａを覆うことでスクリーン前面４ａの上端部を確実に固定できるとともに、当該水平平板部８２ｂの後方側縁部で前後方向（水平方向）におけるスクリーン前面４ａの垂下位置を規定できる。この際に、Ｌ字アングル８２の垂直平板部８２ａを巻回板収納部８１の前側側面に接触させるよう設置することで、スクリーン前面４ａの前後方向における垂下位置を容易かつ確実に規定できる。
【００２７】
＜本実施形態の特徴＞
ここで、本実施形態のロールブラインド１においては、上述したように巻き取り、又は巻き戻しの動作を継続して行うことで、スクリーン４の展開領域全体における光の透過量を周期的に変化させることができる。これに対し、スクリーン４の展開領域全体における光の透過量を最も少なく（暗く）させたい場合には、スクリーン前面４ａとスクリーン後面４ｂの２面間において透光部４１に対して非透光部４２を完全に重複させた際のそれぞれの非透光部４２の間の間隙を最も狭くする必要がある。すなわち、スクリーン前面４ａとスクリーン後面４ｂの２面間における前後方向の離間距離Ｄはできるだけ狭く維持されることが望ましい。
【００２８】
これに対し、ウェイトバー５においては、２つのフェイスバー５２がそれぞれスクリーン前面４ａ及びスクリーン後面４ｂに当接（摺接）していることで、２面間の離間距離Ｄを常にメインローラ５１の直径より狭く維持している。しかし、巻取軸３がスクリーン４を最も巻き取った状態と最も巻き出した状態とでは、スクリーン後面４ｂの垂下位置（４ｂ−ｍｉｎ、４ｂ−ｍａｘ）が大きく変化する（図３中の範囲Ｖ参照）。
【００２９】
そこで本実施形態では、端部固定部８が巻取軸３の下方側（スクリーン４全体に対して水平方向で巻取軸３と同じ前方側）に配置されていることで、巻取軸３がスクリーン４を最も巻き出してスクリーン４全体の展開長を伸長しきった際のスクリーン後面の垂下位置４ｂ−ｍａｘに、スクリーン前面の垂下位置４ａを最も近接させることができる。これにより、端部固定部８におけるスクリーン前面の垂下位置４ａと最も離間距離Ｄが狭くなり、スクリーン前面４ａとスクリーン後面４ｂそれぞれの非透光部４２の間の間隙を最も狭くして光の漏洩を最も抑えることができる。
【００３０】
＜本実施形態の効果＞
以上説明したように、本実施形態のロールブラインド１は、スクリーン前面４ａの上端部を固定して水平方向における垂下位置を規定する端部固定部８を有し、端部固定部８が巻取軸３の下方側（スクリーン４に対して水平方向で巻取軸３と同じ側）に配置されている。
【００３１】
これにより、巻取軸３がスクリーン４を最も巻き出してスクリーン４全体の展開長を伸長しきった際のスクリーン後面４ｂの垂下位置に、端部固定部８がスクリーン前面４ａの垂下位置を最も近接させることができる。この結果、スクリーン４全体を伸長しきった状態で折り返した２面間を最も近接させることができる。
【００３２】
また、本実施形態では特に、端部固定部８は、スクリーン４の下端位置を調整可能な巻回板収納部８１を有している。これにより、スクリーン４全体の展開長を伸長しきった場合の下端位置、つまりウェイトバー５の高さを、実際にロールブラインド１を設置した窓枠の高さに合わせて調整できる。さらに、巻取軸３においてもスクリーン４の下端位置を調整することが可能である。以上のようにスクリーン前面４ａとスクリーン後面４ｂのそれぞれで下端位置調整できることで、スクリーン４全体の展開長を伸長しきった場合の下端位置を任意に調整できるとともに、下限における２面間における透光部４１と被透光部４２の位相差についても調整することができる。
【００３３】
また、本実施形態では特に、スクリーン４が、スクリーン前面４ａの上端部に略平板矩形状の巻回板９を設け、スクリーン４を巻回した状態の巻回板９を収納してその巻回軸周りの姿勢を保持可能な巻回板収納部８１を有している。
【００３４】
これにより、巻回板９にどれだけスクリーン前面４ａの上端部を巻回させて巻回板収納部８１に収納させるかによってスクリーン４全体の有効長を調節し、スクリーン４の下端位置を調整できる。このような部品点数の少ない簡易な構成で、スクリーン４の端部の確実な固定とスクリーン４の下端位置の調整が実現できる。なお、下端位置調整部としては、巻取軸３と別体の第２の巻取軸で構成してもよい（特に図示せず）。
【００３５】
また、本実施形態では特に、端部固定部８が、着脱可能なＬ字アングル８２を有し、Ｌ字アングル８２は、取り付け時に略水平に配置される水平平板部８２ｂの縁部でスクリーン前面４ａの垂下位置を規定する。これにより、Ｌ字アングル８２の垂直平板部８２ａを巻回板収納部８１の前側側面に接触させるよう設置することで、スクリーン前面４ａの前後方向における垂下位置を容易かつ確実に規定できる。また水平平板部８２ｂの前後方向の幅寸法が異なるＬ字アングル８２に交換したり、またはボルト穴を前後方向に伸びた長穴とすることで、水平平板部８２ｂの後方側の縁部の位置を変更し、スクリーン前面４ａの上端部の垂下位置を調整することも可能である。この前後調整機能は、スクリーン垂下位置が変動してしまう場合、特に巻取軸３に初期状態で１回転以上の余巻を設け調整代を長く取りたい場合に適する。
【００３６】
また、本実施形態では特に、スクリーン４は、巻き取り方向に対して所定幅の透光部４１と所定幅以上に広い幅の非透光部４２が交互に配置されている。これにより、巻き取り、又は巻き戻しの動作を継続して行うことで、２面間における非透光部４２の重複面積が周期的に変化することになり、スクリーン４の展開領域全体における光の透過量を周期的に変化させることができる。
【００３７】
なお、上記本実施形態では、スクリーン前面４ａの端部に巻回板９を設け、端部固定部８に巻回板９を収納可能な巻回板収納部８１を設けていたが、これに限られない。例えば上記図６の各図に対応する図７（ａ）に示すように、スクリーン前面４ａの端部をＬ字アングル８２の水平平板部８２ｂの上面に直接貼り付けるように固定してもよく、この場合でもスクリーン前面４ａの水平方向における垂下位置が規定されて、スクリーン４全体を伸長しきった状態で折り返した２面間を最も近接させることができる。また、図７（ｂ）に示すように、スクリーン前面４ａの端部をフレーム２の後方側端部に直接貼り付けるように固定してもよく、この場合でも図７（ａ）と同様の効果が得られる。また巻回板収納部８１を設ける場合でも、図７（ｃ）に示すように、巻回板収納部８１の前側側面に開口部８１ａを形成してもよく、このように構成することにより端部固定部８内においてスクリーン前面４ａの端部の屈曲箇所を増やすことができ、より確実に固定することができる。
【００３８】
＜変形例＞
なお、開示の実施形態は、上記に限られるものではなく、その趣旨及び技術的思想を逸脱しない範囲内で種々の変形が可能である。以下、そのような変形例を説明する。
【００３９】
上記図３に対応する図８は、本変形例が備えるフレーム２Ａの断面図を示している。この図８において、本変形例は上記実施形態と形状が異なる端部固定部８Ａを備えている。上記実施形態では、巻回板収納部８１の全体が断面略矩形形状の筒部であったが、本変形例では、巻回板収納部８１Ａの天井８１Ａｄが内部から見て凹状に湾曲し、開口部８１Ａａより前方側のリブ８１Ａｃが後方側のリブ８１Ａｂより低く配置されている。また、後方側のリブ８１Ａｂの縁部（開口部８１Ａａの後方側縁部）には上方に向けて突出した突起部８１Ａｅが設けられている。また、Ｌ字アングル８２の代わりに前後方向中央位置が上方に突出した平板部材８３（垂下位置規定部材）で巻回板収納部８１Ａの開口部８１Ａａを覆うよう固定されている。
【００４０】
ここで比較例として上記実施形態の巻回板収納部８１の場合には、Ｌ字アングル８２を設置する直前の段階で図９（ａ）に示すような姿勢で巻回板９が保持される。このとき、スクリーン前面４ａの自重によって、巻回板９の前方側の縁部（自由端側の縁部）が巻回板収納部８１の天井に接触する一方、それより低い位置で巻回板９の後方側の縁部（スクリーン接続側の縁部）が後方側のリブ８１ｂの縁部に係止しているだけの状態となる。この状態では、後方側のリブ８１ｂが単純な片持ち梁となってその先端に下方に向けて付加された荷重（図９（ａ）中の矢印参照）に耐えきれずに撓んでしまい、その結果、開口部８１ａを広げて巻回板９が抜けやすくなる。つまりＬ字アングル８２で固定する前に操作者が手を離した際に、巻回板９が巻回板収納部８１から抜け落ちてスクリーン前面４ａとともに落下しやすくなる。
【００４１】
これに対して本変形例の巻回板収納部８１Ａの場合には、平板部材８３を設置する直前の段階で図９（ｂ）に示すような姿勢で巻回板９が保持される。このとき、巻回板９の前方側の縁部（自由端側の縁部）が巻回板収納部８１Ａの湾曲した天井８１Ａｄ（誘導天井）に誘導されて比較的低い位置の前方側のリブ８１Ａｃ（係止リブ）に係止する一方、それより比較的高い位置で巻回板９の後方側の縁部（スクリーン接続側の縁部）が後方側のリブ８１Ａｂ（突起リブ）の縁部の突起部８１Ａｅで持ち上げられた状態となる。この状態では、スクリーン前面４ａの自重が突起部８１Ａｅを介して後方側のリブ８１Ａｂを略水平方向に圧縮するよう付加されることになる（図９（ｂ）中の矢印参照）。この場合には、後方側のリブ８１Ａｂが圧縮荷重に耐えて撓むことがないため、その結果、巻回板９の収納を維持できる。
【００４２】
また、平板部材８３は、その突出部分８３ａを前方側のリブ８１Ａｃの縁部に接触させるよう設置することで、スクリーン前面４ａの上端部を確実に固定できるとともに、スクリーン前面４ａの前後方向における垂下位置を容易かつ確実に規定できる。そしてこの平板部材８３は、Ｌ字アングル８２における垂直平板部８２ａを有していないため、フレーム２Ａを正面から見ても当該平板部材８３の存在自体が目立たなくなり、全体の美観を向上させることができる。
【００４３】
以上説明したように、本変形例のロールブラインド１は、巻回板収納部８１Ａが、巻回板９に対して、その自由端側の縁部がスクリーン接続側の縁部より低い位置となる姿勢で保持する。これにより、後方側のリブ８１Ａｂが圧縮荷重に耐えて撓むことがないため、その結果、巻回板９の収納を維持できる。なお、以上の効果は、少なくとも巻回板９全体が水平、またはそれより前方側が低い前のめりの姿勢で保持されていれば同様の効果を得ることができる。
【００４４】
また、本変形例では特に、巻回板収納部８１Ａが、自由端側の縁部を係止する前方側リブ８１Ａｃと、スクリーン接続側の縁部に対して自由端側の縁部より高く位置させる突起部８１Ａｅを有する後方側リブ８１Ａｂと、自由端側の縁部を前方側リブ８１Ａｃに誘導するよう凹状に湾曲した天井８１Ａｄと、を有している。このような構成により、操作者が特別な操作を行わずとも、巻回板収納部８１Ａは巻回板９に対して、その自由端側の縁部がスクリーン接続側の縁部より低い位置となる姿勢で保持できる。
【００４５】
また、本変形例では特に、端部固定部８Ａが、着脱可能であって、水平方向の途中位置に上方へ向かう突出部分８３ａを備えた平板部材８３を有し、平板部材８３は、取り付け時に略水平に配置される水平平板部の縁部でスクリーン前面４ａの上端部の垂下位置を規定する。これにより、平板部材８３は、その突出部分８３ａを前方側のリブ８１Ａｃの縁部に接触させるよう設置することで、スクリーン前面４ａの上端部を確実に固定できるとともに、スクリーン前面４ａの前後方向における垂下位置を容易かつ確実に規定できる。そしてフレーム２Ａを正面から見ても、当該平板部材８３の存在自体が目立たないため、全体の美観を向上させることができる。また、特に図示しないが、フレーム２に対しＬ字アングル８２を横から挿入するようにフレーム２に対しＬ字アングル８２を係止しても良い。また、フレーム２のブラケットを掴む断面コの字状の部分と、巻取軸３をカバーする正面部分は前後方向に位置決めされて嵌合されていれば別体としてもよい。また、フレーム２は巻取軸３を一部だけ覆う形状としてもよいし、巻取軸３を覆わないフレーム２と別体のアタッチメントとで端部固定部８を支持してもよいし、取り付けブラケット１１で端部固定部８を支持してもよい。
【００４６】
また、以上既に述べた以外にも、上記実施形態や各変形例による手法を適宜組み合わせて利用しても良い。
【００４７】
その他、一々例示はしないが、上記実施形態や各変形例は、その趣旨を逸脱しない範囲内において、種々の変更が加えられて実施されるものである。
【符号の説明】
【００４８】
１、１Ａ      ロールブラインド
２、２Ａ      フレーム
３            巻取軸
４            スクリーン
４ａ          スクリーン前面
４ｂ          スクリーン後面
５            ウェイトバー
６            操作コード
７            スプロケット
８、８Ａ      端部固定部
９            巻回板
２３          スプロケットカバー（第２の下端位置調整部）
４１          透光部
４２          非透光部
５１          メインローラ
５２          フェイスバー
５３          ウェイトカバー
６２          コネクタ（第２の下端位置調整部）
８１、８１Ａ  巻回板収納部（第１の下端位置調整部）
８１ａ        開口部
８１Ａａ      開口部
８１ｂ        後方側リブ
８１Ａｂ      後方側リブ
８１ｃ        前方側リブ
８１Ａｃ      前方側リブ
８１Ａｄ      天井（誘導天井）
８１Ａｅ      突起部
８２          Ｌ字アングル（垂下位置規定部材）
８２ａ        垂直平板部（突出部分）
８２ｂ        水平平板部
８３          平板部材（垂下位置規定部材）
８３ａ        突出部分
【図１】
2015218488.tif 000003
【図２】
2015218488.tif 000004
【図３】
2015218488.tif 000005
【図４】
2015218488.tif 000006
【図５】
2015218488.tif 000007
【図６】
2015218488.tif 000008
【図７】
2015218488.tif 000009
【図８】
2015218488.tif 000010
【図９】
2015218488.tif 000011